(57)【要約】【課題】画素部に複数のロー状態の電圧を伝達する電源供給部及びそれを用いた有機電界発光表示装置を提供する。【解決手段】走査信号、発光制御信号、データ信号を受信し、第１電源から第２電源に、前記データ信号に対応して電流が流れるようにし、前記データ信号は、第３電源によって維持されるようにする画素を含む画素部と、前記データ信号、前記走査信号、前記発光制御信号を生成する信号生成部、及び前記第１電源、前記第２電源、前記第３電源を生成する電源生成部を備えるドライバＩＣと、を備える。【選択図】図１
2010039461.tif 000002
【特許請求の範囲】
【請求項１】
走査信号、発光制御信号、データ信号を受信し、第１電源から第２電源に、前記データ信号に対応して電流が流れるようにし、前記データ信号は、第３電源によって維持されるようにする画素を含む画素部と、
前記データ信号、前記走査信号、前記発光制御信号を生成する信号生成部、及び前記第１電源、前記第２電源、前記第３電源を生成する電源生成部を備えるドライバＩＣとを備え、
前記第２電源と前記第３電源とは、前記第１電源より電圧レベルが低いことを特徴とする有機電界発光表示装置。
【請求項２】
前記電源生成部は、
ハイ状態の電圧とロー状態の電圧との間に形成される複数の抵抗からなる抵抗列と、
前記抵抗列から参照電圧を選択して出力する選択部と、
前記選択部から出力される参照電圧の絶対値を大きくするチャージポンプと、
前記チャージポンプから出力される電圧を受けて前記第３電源を出力するレギュレータと、
を備えることを特徴とする請求項１に記載の有機電界発光表示装置。
【請求項３】
前記画素は、
有機発光ダイオードと、
ソースが第１ノードに接続され、ドレインが第２ノードに接続され、ゲートが第３ノードに接続される第１トランジスタと、
ソースがデータ線に接続され、ドレインが前記第１ノードに接続され、ゲートが第１走査線に接続される第２トランジスタと、
ソースが第２ノードに接続され、ドレインが第３ノードに接続され、ゲートが前記第１走査線に接続される第３トランジスタと、
ソースに初期化電圧が伝達され、ドレインが第３ノードに接続され、ゲートが第２走査線に接続される第４トランジスタと、
ソースが前記第１電源に接続され、ドレインが前記第１ノードに接続され、ゲートが発光制御線に接続される第５トランジスタと、
ソースが前記第２ノードに接続され、ドレインが有機発光ダイオードに接続され、ゲートが前記発光制御線に接続される第６トランジスタと、
第１電極が前記第３ノードに接続され、第２電極が前記第３電源に接続される第１キャパシタと、
第１電極が前記第１走査線に接続され、第２電極が前記第３ノードに接続される第２キャパシタと、
を備えることを特徴とする請求項１に記載の有機電界発光表示装置。
【請求項４】
前記第２電源の電圧は、可変であることを特徴とする請求項１に記載の有機電界発光表示装置。
【請求項５】
走査信号、発光制御信号、データ信号を受信し、第１電源から第２電源に、前記データ信号に対応して電流が流れるようにし、前記データ信号は、第３電源によって維持されるようにする画素を含む画素部と、
前記データ信号、前記走査信号、前記発光制御信号を生成するドライバＩＣと、
前記第１電源、前記第２電源、前記第３電源を生成する電源供給部とを備え、
前記第２電源と前記第３電源とは、前記第１電源より電圧レベルが低いことを特徴とする有機電界発光表示装置。
【請求項６】
前記電源供給部は、
入力電圧を増幅して前記第１電源を生成するブースタと、
前記入力電圧を反転して前記第２電源を生成するインバータと、
前記入力電圧を反転した後、増幅して、前記第３電源を生成するチャージポンプと、
を備えることを特徴とする請求項５に記載の有機電界発光表示装置。
【請求項７】
前記画素は、
有機発光ダイオードと、
ソースが第１ノードに接続され、ドレインが第２ノードに接続され、ゲートが第３ノードに接続される第１トランジスタと、
ソースがデータ線に接続され、ドレインが前記第１ノードに接続され、ゲートが第１走査線に接続される第２トランジスタと、
ソースが第２ノードに接続され、ドレインが第３ノードに接続され、ゲートが前記第１走査線に接続される第３トランジスタと、
ソースに初期化電圧が伝達され、ドレインが第３ノードに接続され、ゲートが第２走査線に接続される第４トランジスタと、
ソースが前記第１電源に接続され、ドレインが前記第１ノードに接続され、ゲートが発光制御線に接続される第５トランジスタと、
ソースが前記第２ノードに接続され、ドレインが有機発光ダイオードに接続され、ゲートが前記発光制御線に接続される第６トランジスタと、
第１電極が前記第３ノードに接続され、第２電極が前記第３電源に接続される第１キャパシタと、
第１電極が前記第１走査線に接続され、第２電極が前記第３ノードに接続される第２キャパシタと、
を備えることを特徴とする請求項５に記載の有機電界発光表示装置。
【請求項８】
前記第２電源の電圧レベルは、可変であることを特徴とする請求項５に記載の有機電界発光表示装置。
【請求項９】
走査信号、発光制御信号、データ信号を受信し、第１電源から第２電源に、前記データ信号に対応して電流が流れるようにし、前記データ信号は、第３電源によって維持されるようにする画素を含む画素部と、
前記データ信号、前記走査信号、前記発光制御信号及び前記第３電源を生成するドライバＩＣと、
前記第１電源、前記第２電源を生成する電源供給部とを備え、
前記第２電源と前記第３電源とは、前記第１電源より電圧レベルが低いことを特徴とする有機電界発光表示装置。
【請求項１０】
前記ドライバＩＣは、前記電源供給部から前記第１電源を受けて反転して前記第３電源を生成することを特徴とする請求項９に記載の有機電界発光表示装置。
【請求項１１】
前記画素は、
有機発光ダイオードと、
ソースが第１ノードに接続され、ドレインが第２ノードに接続され、ゲートが第３ノードに接続される第１トランジスタと、
ソースがデータ線に接続され、ドレインが前記第１ノードに接続され、ゲートが第１走査線に接続される第２トランジスタと、
ソースが第２ノードに接続され、ドレインが第３ノードに接続され、ゲートが前記第１走査線に接続される第３トランジスタと、
ソースに初期化電圧が伝達され、ドレインが第３ノードに接続され、ゲートが第２走査線に接続される第４トランジスタと、
ソースが前記第１電源に接続され、ドレインが前記第１ノードに接続され、ゲートが発光制御線に接続される第５トランジスタと、
ソースが前記第２ノードに接続され、ドレインが有機発光ダイオードに接続され、ゲートが前記発光制御線に接続される第６トランジスタと、
第１電極が前記第３ノードに接続され、第２電極が前記第３電源に接続される第１キャパシタと、
第１電極が前記第１走査線に接続され、第２電極が前記第３ノードに接続される第２キャパシタと、
を備えることを特徴とする請求項９に記載の有機電界発光表示装置。
【請求項１２】
前記第２電源の電圧レベルは、可変であることを特徴とする請求項９に記載の有機電界発光表示装置。
【発明の詳細な説明】
【技術分野】
【０００１】
本発明は、有機電界発光表示装置に関し、より詳細には、データ信号が電源電圧によって変動することを防止することにより、画質の低下が発生しないようにする有機電界発光表示装置に関する。
【背景技術】
【０００２】
近年、陰極線管（Ｃａｔｈｏｄｅ  Ｒａｙ  Ｔｕｂｅ）の短所である重量及び体積を低減することのできる各種平板表示装置が開発されている。平板表示装置には、液晶表示装置（Ｌｉｑｕｉｄ  Ｃｒｙｓｔａｌ  Ｄｉｓｐｌａｙ  Ｄｅｖｉｃｅ）、電界放出表示装置（Ｆｉｅｌｄ  Ｅｍｉｓｓｉｏｎ  Ｄｉｓｐｌａｙ  Ｄｅｖｉｃｅ）、プラズマ表示パネル（Ｐｌａｓｍａ  Ｄｉｓｐｌａｙ  Ｐａｎｅｌ）、及び有機電界発光表示装置（Ｏｒｇａｎｉｃ  Ｌｉｇｈｔ  Ｅｍｉｔｔｉｎｇ  Ｄｉｓｐｌａｙ  Ｄｅｖｉｃｅ）などがある。
【０００３】
上記平板表示装置のうち、有機電界発光表示装置は、優れた色再現性や薄肉さなどの様々な利点により、応用分野において、携帯電話用のほか、ＰＤＡ、ＭＰ３プレーヤーなどに市場が大きく拡大している。
【０００４】
有機電界発光表示装置は、電流の流れに対応して発生する電子と正孔との再結合により光を発生する有機発光ダイオード（Ｏｒｇａｎｉｃ  Ｌｉｇｈｔ  Ｅｍｉｔｔｉｎｇ  Ｄｉｏｄｅ：ＯＬＥＤ）を用いて画像を表示する。
【０００５】
有機発光ダイオードは、第１電源と、当該第１電源より低い電圧を有する第２電源との間に位置し、データ信号（ｄａｔａ）によって第１電源から第２電源の間に流れる電流を調整し、有機発光ダイオードに流れる電流量に対応して光が発光するようにする。
【０００６】
このように構成された有機電界発光表示装置において、第１電源及び第２電源の電圧特性が悪い場合、データ信号が不安定になり、有機発光ダイオードに流れる電流も不安定になるため、画質が低下するという問題があった。
【先行技術文献】
【特許文献】
【０００７】
【特許文献１】韓国公開特許第２００５−００９５１４８号公報
【特許文献２】特開２００６−０９１０８９号公報
【発明の概要】
【発明が解決しようとする課題】
【０００８】
そこで、本発明の目的は、画素部に複数のロー状態の電圧を伝達する電源供給部及びそれを用いた有機電界発光表示装置を提供することである。
【課題を解決するための手段】
【０００９】
上記の目的を達成するために、本発明の第１の形態は、走査信号、発光制御信号、データ信号を受信し、第１電源から第２電源に、前記データ信号に対応して電流が流れるようにし、前記データ信号は、第３電源によって維持されるようにする画素を含む画素部と、前記データ信号、前記走査信号、前記発光制御信号を生成する信号生成部、及び前記第１電源、前記第２電源、前記第３電源を生成する電源生成部を備えるドライバＩＣとを備え、前記第２電源と前記第３電源とは、前記第１電源より電圧レベルが低い有機電界発光表示装置を提供する。
【００１０】
本発明の第２の形態は、走査信号、発光制御信号、データ信号を受信し、第１電源から第２電源に、前記データ信号に対応して電流が流れるようにし、前記データ信号は、第３電源によって維持されるようにする画素を含む画素部と、前記データ信号、前記走査信号、前記発光制御信号を生成するドライバＩＣと、前記第１電源、前記第２電源、前記第３電源を生成する電源供給部とを備え、前記第２電源と前記第３電源とは、前記第１電源より電圧レベルが低い有機電界発光表示装置を提供する。
【００１１】
本発明の第３の形態は、走査信号、発光制御信号、データ信号を受信し、第１電源から第２電源に、前記データ信号に対応して電流が流れるようにし、前記データ信号は、第３電源によって維持されるようにする画素を含む画素部と、前記データ信号、前記走査信号、前記発光制御信号及び前記第３電源を生成するドライバＩＣと、前記第１電源、前記第２電源を生成する電源供給部とを備え、前記第２電源と前記第３電源とは、前記第１電源より電圧レベルが低い有機電界発光表示装置を提供する。
【発明の効果】
【００１２】
本発明に係る有機電界発光表示装置によれば、有機発光ダイオードのカソードに伝達される電圧を可変にすることができる。また、カソードに印加される電圧が不安定であっても画質低下が発生しない。
【図面の簡単な説明】
【００１３】
【図１】本発明の第１の実施形態に係る有機電界発光表示装置の構造を示す構造図である。
【図２】図１に示した電源生成部の構造を示す構造図である。
【図３】図１に示した画素部に備えられた画素の回路図である。
【図４】図３に示した画素の動作を示すタイミング図である。
【図５】本発明の第２の実施形態に係る有機電界発光表示装置の構造を示す構造図である。
【図６】本発明の第３の実施形態に係る有機電界発光表示装置の構造を示す構造図である。
【発明を実施するための形態】
【００１４】
以下、本発明の実施形態を添付図面を参照して説明する。
【００１５】
図１は、本発明の第１の実施形態に係る有機電界発光表示装置の構造を示す構造図である。同図に示したように、有機電界発光表示装置は、画素部１００ａと、ドライバＩＣ２００ａとを備える。
【００１６】
画素部１００ａには、複数の画素（図示せず）が配列され、各画素は、電流の流れに対応して光を発光する有機発光ダイオード（図示せず）を備える。そして、画素部１００ａは、行方向に走査信号ｓｃａｎを伝達する複数の走査線（図示せず）と、行方向に発光制御信号ｅｍｉｓｓｉｏｎを伝達する複数の発光制御線（図示せず）と、列方向にデータ信号ｄａｔａを伝達する複数のデータ線（図示せず）とが配列される。
【００１７】
また、画素部１００ａは、第１電源ＥＬＶＤＤ、第２電源ＥＬＶＳＳ、第３電源ＭＯＳＶＳＳ及び初期化電圧ＶＩＮＩＴを受けて駆動する。したがって、画素部１００ａは、走査信号ｓｃａｎ、データ信号ｄａｔａ、第１電源ＥＬＶＤＤ、第２電源ＥＬＶＳＳ、第３電源ＭＯＳＶＳＳ及び初期化電圧ＶＩＮＩＴにより、有機発光ダイオードに電流が流れることによって発光して映像を表示する。
【００１８】
ドライバＩＣ２００ａは、走査信号ｓｃａｎ、データ信号ｄａｔａ、第１電源ＥＬＶＤＤ、第２電源ＥＬＶＳＳ、第３電源ＭＯＳＶＳＳ及び初期化電圧ＶＩＮＩＴを、画素部１００ａに伝達する。ドライバＩＣ２００ａから伝達された走査信号ｓｃａｎによって選択された画素にデータ信号ｄａｔａが伝達され、第１電源ＥＬＶＤＤ、第２電源ＥＬＶＳＳ、第３電源ＭＯＳＶＳＳ及び初期化電圧ＶＩＮＩＴにより、画素でデータ信号ｄａｔａに対応する電流が生成され、発光制御信号ｅｍｉｓｓｉｏｎにより電流が有機発光ダイオードに流れるようになる。また、ドライバＩＣ２００ａは、走査信号ｓｃａｎ、発光制御信号ｅｍｉｓｓｉｏｎ、データ信号ｄａｔａを生成する信号生成部２１０ａと、第１電源ＥＬＶＤＤ、第２電源ＥＬＶＳＳ、第３電源ＭＯＳＶＳＳ及び初期化電圧ＶＩＮＩＴを生成する電源生成部２２０ａとに区分される。
【００１９】
図２は、図１に示した電源生成部の構造を示す構造図である。同図に示したように、電源生成部２２０ａは、ハイ状態の電圧ＶＧＨとロー状態の電圧ＶＧＬとの間に接続される複数の抵抗からなる抵抗列２２１と、抵抗列２２１から所定の電圧を選択して参照電圧Ｖｒｅｆを生成する選択部２２２と、参照電圧Ｖｒｅｆを受けて電圧を整数倍するチャージポンプ２２３と、チャージポンプ２２３で生成された電圧を受けて、第１電源ＥＬＶＤＤ、第２電源ＥＬＶＳＳ、第３電源ＭＯＳＶＳＳ及び初期化電圧ＶＩＮＩＴを出力するレギュレータ２２４とを備える。
【００２０】
電源生成部２２０ａは、所定の電圧によって選択された参照電圧Ｖｒｅｆを、チャージポンプ２２３を用いて整数倍させて複数の電圧を生成するが、参照電圧Ｖｒｅｆの絶対値を高くした後、レギュレータ２２４で第３電源ＭＯＳＶＳＳの電圧を一定に出力する。
【００２１】
図３は、図１に示した画素部に備えられた画素の回路図である。同図に示したように、画素は、第１トランジスタＭ１と、第２トランジスタＭ２と、第３トランジスタＭ３と、第４トランジスタＭ４と、第５トランジスタＭ５と、第６トランジスタＭ６と、第１キャパシタＣｓｔと、第２キャパシタＣｂｏｏｓｔと、有機発光ダイオードＯＬＥＤとを備える。
【００２２】
第１トランジスタＭ１は、ソースが第１ノードＮ１に接続され、ドレインが第２ノードＮ２に接続され、ゲートが第３ノードＮ３に接続される。
【００２３】
第２トランジスタＭ２は、ソースがデータ線Ｄｍに接続され、ドレインが第１ノードＮ１に接続され、ゲートが第１走査線Ｓｎに接続される。
【００２４】
第３トランジスタＭ３は、ソースが第２ノードＮ２に接続され、ドレインが第３ノードＮ３に接続され、ゲートが第１走査線Ｓｎに接続される。
【００２５】
第４トランジスタＭ４は、ソースが初期化電圧ＶＩＮＩＴを受け、ドレインが第３ノードＮ３に接続され、ゲートが第２走査線Ｓｎ−１に接続される。
【００２６】
第５トランジスタＭ５は、ソースが第１電源ＥＬＶＤＤに接続され、ドレインが第１ノードＮ１に接続され、ゲートが発光制御線Ｅｎに接続される。
【００２７】
第６トランジスタＭ６は、ソースが第２ノードＮ２に接続され、ドレインが有機発光ダイオードＯＬＥＤのアノード電極に接続され、ゲートが発光制御線Ｅｎに接続される。
【００２８】
第１キャパシタＣｓｔは、第１電極が第３ノードＮ３に接続され、第２電極が第３電源ＭＯＳＶＳＳに接続される。
【００２９】
第２キャパシタＣｂｏｏｓｔは、第１電極が第１走査線Ｓｎに接続され、第２電極が第３ノードＮ３に接続される。
【００３０】
有機発光ダイオードＯＬＥＤは、アノード電極が第６トランジスタＭ６のドレインに接続され、カソード電極が第２電源ＥＬＶＳＳに接続される。
【００３１】
図４は、図３に示した画素の動作を示すタイミング図である。同図に示したように、画素には、第１走査線Ｓｎを介して伝達される第１走査信号ｓｎと、第２走査線Ｓｎ−１を介して伝達される第２走査信号ｓｎ−１と、データ線Ｄｍを介して伝達されるデータ信号ｄａｔａと、発光制御線Ｅｎを介して伝達される発光制御信号ｅｎとが伝達される。また、初期化線を介して初期化電圧ＶＩＮＩＴが伝達され、有機発光ダイオードＯＬＥＤに電流が流れるようにする第１電源ＥＬＶＤＤ及び第２電源ＥＬＶＳＳと、第１キャパシタＣｓｔの電圧を固定する第３電源ＭＯＳＶＳＳとが伝達される。
【００３２】
ここで、第２走査信号ｓｎ−１は、前ラインの画素にデータ信号ｄａｔａが伝達されるようにする走査信号であって、第２走査信号ｓｎ−１が第１走査信号ｓｎよりも先にロー状態になる。
【００３３】
動作を説明すると、第２走査信号ｓｎ−１がロー状態で、かつ第１走査信号ｓｎと発光制御信号ｅｎとがハイ状態を維持する第１期間Ｔ１においては、第４トランジスタＭ４がオン状態になり、第３ノードＮ３の電圧が初期化電圧となる。このとき、第５トランジスタＭ５と第６トランジスタＭ６とは、オフ状態であるため、有機発光ダイオードＯＬＥＤには電流が流れない。
【００３４】
第１走査信号ｓｎがロー状態で、かつ第２走査信号ｓｎ−１と発光制御信号ｅｎとがハイ状態を維持する第２期間Ｔ２においては、第２トランジスタＭ２と第３トランジスタＭ３とがオン状態になる。第３トランジスタＭ３がオン状態になると、第１トランジスタＭ１のドレインとゲートとの電圧が等しくなり、第１トランジスタＭ１はダイオード接続される。したがって、第３ノードＮ３には、下記の式に相当する電圧が格納される。
【００３５】
【数１】
2010039461.tif 000003
【００３６】
ここで、ＶＮ３は第３ノードＮ３の電圧、Ｖｄａｔａはデータ信号ｄａｔａの電圧、Ｖｔｈ１は第１トランジスタＭ１の閾値電圧に相当する。
【００３７】
また、第１走査信号ｓｎと第２走査信号ｓｎ−１とがハイ状態で、かつ発光制御信号ｅｎがロー状態である第３期間Ｔ３においては、まず、第１走査信号ｓｎがローからハイ状態に電圧が上昇するため、第２キャパシタＣｂｏｏｓｔに接続されている第３ノードＮ３の電圧も上昇する。したがって、第３ノードＮ３の電圧は、下記の式に相当する。
【００３８】
【数２】
2010039461.tif 000004
【００３９】
ここで、ＶＮ３は第３ノードＮ３の電圧、Ｖｄａｔａはデータ信号ｄａｔａの電圧、Ｖｔｈ１は第１トランジスタＭ１の閾値電圧、ΔＶは第１走査信号ｓｎによって上昇する電圧に相当する。
【００４０】
さらに、発光制御信号ｅｎがロー状態であるため、有機発光ダイオードＯＬＥＤに電流が流れるが、有機発光ダイオードＯＬＥＤに流れる電流量は、下記の式に相当する。
【００４１】
【数３】
2010039461.tif 000005
【００４２】
ここで、ＥＬＶＤＤは第１電源ＥＬＶＤＤの電圧、Ｖｄａｔａはデータ信号ｄａｔａの電圧、Ｖｔｈ１は第１トランジスタＭ１の閾値電圧、ΔＶは第１走査信号ｓｎによって上昇する電圧に相当する。
【００４３】
したがって、有機発光ダイオードＯＬＥＤに流れる電流は、第１トランジスタＭ１の閾値電圧とは無関係に流れ、第１トランジスタＭ１の閾値電圧の偏差による輝度ムラが発生するのを防止する。また、ブラックのように、有機発光ダイオードＯＬＥＤに電流が流れないようにするデータ信号ｄａｔａが伝達された場合、第１走査信号ｓｎによって第１トランジスタＭ１のゲートに伝達される第３ノードＮ３の電圧が上昇するため、より確実に有機発光ダイオードＯＬＥＤに電流が流れるのを防止することができる。これにより、ブラックのより正確な表現が可能となる。
【００４４】
このように構成された画素は、第１キャパシタＣｓｔの第１電極に第３電源ＭＯＳＶＳＳが伝達され、有機発光ダイオードＯＬＥＤのカソード電極には第２電源ＥＬＶＳＳが伝達される。第２電源ＥＬＶＳＳが第１キャパシタＣｓｔの第１電極に伝達されることも可能であるが、第２電源ＥＬＶＳＳの電圧が不安定になると、カップリング現象により、同じデータ信号ｄａｔａが伝達されても、第３ノードＮ３の電圧が不安定になり得る。第３ノードＮ３の電圧が不安定になると、第１電源ＥＬＶＤＤから第２電源ＥＬＶＳＳの方向に流れる電流量に変化が生じ、画質が低下するという問題が発生する。
【００４５】
また、消費電力を低減するため、第２電源ＥＬＶＳＳの電圧を周囲環境に合わせて可変にする場合が生じ得るが、この場合、第２電源ＥＬＶＳＳの電圧が変動すると、第２電源ＥＬＶＳＳを第１キャパシタＣｓｔに伝達することは不可能になる。したがって、このような問題を解決するために、本発明では、第２電源ＥＬＶＳＳの代わりに第３電源ＭＯＳＶＳＳを生成して第１キャパシタＣｓｔに伝達する。
【００４６】
図５は、本発明の第２の実施形態に係る有機電界発光表示装置の構造を示す構造図である。同図に示したように、有機電界発光表示装置は、画素部１００ｂと、ドライバＩＣ２００ｂと、電源供給部３００ｂとを備える。
【００４７】
画素部１００ｂには、複数の画素（図示せず）が配列され、各画素は、電流の流れに対応して光を発光する有機発光ダイオード（図示せず）を備える。そして、画素部１００ｂは、行方向に走査信号ｓｃａｎを伝達する複数の走査線（図示せず）と、行方向に発光制御信号ｅｍｉｓｓｉｏｎを伝達する複数の発光制御線（図示せず）と、列方向にデータ信号ｄａｔａを伝達する複数のデータ線（図示せず）とが配列される。
【００４８】
また、画素部１００ｂは、第１電源ＥＬＶＤＤ、第２電源ＥＬＶＳＳ、第３電源ＭＯＳＶＳＳ及び初期化電圧ＶＩＮＩＴを受けて駆動する。したがって、画素部１００ｂは、走査信号、データ信号、第１電源ＥＬＶＤＤ、第２電源ＥＬＶＳＳ、第３電源ＭＯＳＶＳＳ及び初期化電圧ＶＩＮＩＴにより、有機発光ダイオードに電流が流れることによって発光して映像を表示する。
【００４９】
ドライバＩＣ２００ｂは、走査信号ｓｃａｎ、発光制御信号ｅｍｉｓｓｉｏｎ、データ信号ｄａｔａを生成する。ドライバＩＣ２００ｂから伝達された走査信号ｓｃａｎによって選択された画素にデータ信号ｄａｔａが伝達され、第１電源ＥＬＶＤＤ、第２電源ＥＬＶＳＳ、第３電源ＭＯＳＶＳＳ及び初期化電圧ＶＩＮＩＴにより、画素でデータ信号ｄａｔａに対応する電流が発光制御信号ｅｍｉｓｓｉｏｎによって流れる。
【００５０】
電源供給部３００ｂは、第１電源ＥＬＶＤＤ、第２電源ＥＬＶＳＳ、第３電源ＭＯＳＶＳＳ及び初期化電圧ＶＩＮＩＴを生成して、画素部１００ｂに伝達する。電源供給部３００ｂは、入力電圧を昇圧して第１電源ＥＬＶＤＤを生成し、入力電圧を反転して第２電源ＥＬＶＳＳを生成する。そして、第３電源ＭＯＳＶＳＳは、チャージポンプまたはレギュレータを用いて入力電圧を反転した後、昇圧して、生成する。このため、電源供給部３００ｂは、入力電圧を増幅して第１電源ＥＬＶＤＤを生成するブースタと、入力電圧を反転して第２電源ＥＬＶＳＳを生成するインバータと、入力電圧を反転した後、増幅して、第３電源ＭＯＳＶＳＳを生成するチャージポンプとを備える。
【００５１】
図６は、本発明の第３の実施形態に係る有機電界発光表示装置の構造を示す構造図である。同図に示したように、有機電界発光表示装置は、画素部１００ｃと、ドライバＩＣ２００ｃと、電源供給部３００ｃとを備える。
【００５２】
画素部１００ｃには、複数の画素（図示せず）が配列され、各画素は、電流の流れに対応して光を発光する有機発光ダイオード（図示せず）を備える。そして、画素部１００ｃは、行方向に走査信号ｓｃａｎを伝達する複数の走査線（図示せず）と、行方向に発光制御信号ｅｍｉｓｓｉｏｎを伝達する複数の発光制御線（図示せず）と、列方向にデータ信号ｄａｔａを伝達する複数のデータ線（図示せず）とが配列される。
【００５３】
また、画素部１００ｃは、第１電源ＥＬＶＤＤ、第２電源ＥＬＶＳＳ、第３電源ＭＯＳＶＳＳ及び初期化電圧ＶＩＮＩＴを受けて駆動する。したがって、画素部１００ｃは、走査信号ｓｃａｎにより画素にデータ信号ｄａｔａが伝達され、第１電源ＥＬＶＤＤ、第２電源ＥＬＶＳＳ、第３電源ＭＯＳＶＳＳ及び初期化電圧ＶＩＮＩＴにより、画素でデータ信号ｄａｔａに生成された電流が発光制御信号ｅｍｉｓｓｉｏｎによって流れるようになる。
【００５４】
ドライバＩＣ２００ｃは、信号生成部２１０ｃと、電源生成部２２０ｃとを備える。信号生成部２１０ｃは、走査信号ｓｃａｎ、発光制御信号ｅｍｉｓｓｉｏｎ、データ信号ｄａｔａを生成する。また、電源生成部２２０ｃは、第３電源ＭＯＳＶＳＳを生成する。信号生成部２１０ｃで生成された走査信号ｓｃａｎによって選択された画素にデータ信号ｄａｔａが伝達され、第１電源ＥＬＶＤＤ、第２電源ＥＬＶＳＳ、第３電源ＭＯＳＶＳＳ及び初期化電圧ＶＩＮＩＴにより、画素でデータ信号ｄａｔａに対応する電流が流れる。さらに、電源生成部２２０ｃは、電源供給部３００ｃで生成された第１電源ＥＬＶＤＤを受けて負電圧に変換し、第３電源ＭＯＳＶＳＳを生成した後、画素部１００ｃに伝達する。
【００５５】
電源供給部３００ｃは、第１電源ＥＬＶＤＤ、第２電源ＥＬＶＳＳ及び初期化電圧ＶＩＮＩＴを生成して、画素部１００ｃに伝達する。電源供給部３００ｃは、外部から伝達される入力電圧Ｖｉｎを昇圧して第１電源ＥＬＶＤＤを生成し、入力電圧Ｖｉｎを反転して第２電源ＥＬＶＳＳを生成する。
【符号の説明】
【００５６】
１００ａ，１００ｂ，１００ｃ  画素部
２００ａ，２００ｂ，２００ｃ  ドライバＩＣ
２１０ａ，２１０ｃ  信号生成部
２２０ａ，２２０ｃ  電源生成部
３００ａ，３００ｂ，３００ｃ  電源供給部
【図１】
2010039461.tif 000006
【図２】
2010039461.tif 000007
【図３】
2010039461.tif 000008
【図４】
2010039461.tif 000009
【図５】
2010039461.tif 000010
【図６】
2010039461.tif 000011